(57)【特許請求の範囲】
【請求項１】
記憶手段に記憶されたファイルにアクセスするユーザを識別するユーザ識別手段と、
前記ユーザ識別手段により識別された前記ユーザの現在地を取得する現在地取得手段と、
ユーザのスケジュール情報を記憶する記憶手段から、前記ユーザ識別手段により識別された前記ユーザのスケジュール情報を取得するスケジュール取得手段と、
前記現在地取得手段により取得された前記ユーザの現在地と、前記スケジュール取得手段により取得された前記ユーザのスケジュール情報に登録されたイベントが行われる場所を示すイベント場所と、該イベントの内容と、前記ファイルの内容とに基づいて、前記ファイルに対するアクセスを制御するアクセス制御手段と、
前記ユーザが所持するユーザ端末により、前記ユーザに同行する同行者の有無を検出する同行者検出手段と、
を含み、
前記ユーザの現在地、前記イベント場所、前記イベントの内容及び前記ファイルの内容が所定の条件を充足する場合において、前記アクセス制御手段は、前記同行者検出手段によって前記同行者が検出されない場合、前記ユーザの前記ファイルに対するアクセスを許可し、前記同行者検出手段によって前記同行者が検出された場合、前記ユーザの前記ファイルに対するアクセスを制限する、
ことを特徴とするファイル管理装置。
【請求項２】
前記現在地から前記イベント場所までの距離を算出する算出手段と、
前記ユーザの前記イベントに同行する同行者を識別する同行者識別手段と、
をさらに含み、
前記アクセス制御手段は、前記算出手段により算出された前記距離が、予め設定された設定距離より小さく、かつ、前記ファイルの内容が前記イベントの内容及び前記同行者に関連する場合は、前記ユーザに前記ファイルに対するアクセスを許可する、
ことを特徴とする請求項１に記載のファイル管理装置。
【請求項３】
前記現在地から前記イベント場所までの距離を算出する算出手段と、
前記ユーザの前記イベントに同行する同行者を識別する同行者識別手段と、
をさらに含み、
前記アクセス制御手段は、前記算出手段により算出された前記距離が、予め設定された設定距離より小さく、かつ、前記ファイルの内容が前記イベントの内容及び前記同行者に関連する場合は、前記ユーザに前記ファイルの一部に対するアクセスを許可する、
ことを特徴とする請求項１に記載のファイル管理装置。
【請求項４】
前記現在地から前記イベント場所までの距離を算出する算出手段と、
前記ユーザの前記イベントに同行する同行者を識別する同行者識別手段と、
をさらに含み、
前記アクセス制御手段は、前記同行者が特定されず、前記ユーザの現在地と前記イベント場所とが一致し、前記ファイルの内容が前記イベントの内容に関連する場合は、前記ユーザに前記ファイルに対するアクセスを許可する、
ことを特徴とする請求項１に記載のファイル管理装置。
【請求項５】
前記ユーザの前記イベントに同行する同行者を識別する同行者識別手段をさらに含み、
前記アクセス制御手段は、前記同行者が推定されない場合は、前記ユーザに前記ファイルに対するアクセスを禁止する、
ことを特徴とする請求項１に記載のファイル管理装置。
【請求項６】
ユーザが利用するユーザ端末と、該ユーザ端末にネットワークを介して接続されるファイル管理装置と、を含むファイル管理システムであって、
前記ファイル管理装置は、
記憶手段に記憶されたファイルにアクセスするユーザを識別するユーザ識別手段と、
前記ユーザ識別手段により識別された前記ユーザの現在地を取得する現在地取得手段と、
ユーザのスケジュール情報を記憶する記憶手段から、前記ユーザ識別手段により識別された前記ユーザのスケジュール情報を取得するスケジュール取得手段と、
前記現在地取得手段により取得された前記ユーザの現在地と、前記スケジュール取得手段により取得された前記ユーザのスケジュール情報に登録されたイベントが行われる場所を示すイベント場所と、該イベントの内容と、前記ファイルの内容とに基づいて、前記ファイルに対するアクセスを制御するアクセス制御手段と、
前記ユーザが所持するユーザ端末により、前記ユーザに同行する同行者の有無を検出する同行者検出手段と、
を含み、
前記ユーザの現在地、前記イベント場所、前記イベントの内容及び前記ファイルの内容が所定の条件を充足する場合において、前記アクセス制御手段は、前記同行者検出手段によって前記同行者が検出されない場合、前記ユーザの前記ファイルに対するアクセスを許可し、前記同行者検出手段によって前記同行者が検出された場合、前記ユーザの前記ファイルに対するアクセスを制限する、
ことを特徴とするファイル管理システム。
【請求項７】
記憶手段に記憶されたファイルにアクセスするユーザを識別するユーザ識別手段、
前記ユーザ識別手段により識別された前記ユーザの現在地を取得する現在地取得手段、
ユーザのスケジュール情報を記憶する記憶手段から、前記ユーザ識別手段により識別された前記ユーザのスケジュール情報を取得するスケジュール取得手段、
前記現在地取得手段により取得された前記ユーザの現在地と、前記スケジュール取得手段により取得された前記ユーザのスケジュール情報に登録されたイベントが行われる場所を示すイベント場所と、該イベントの内容と、前記ファイルの内容とに基づいて、前記ファイルに対するアクセスを制御するアクセス制御手段、及び、
前記ユーザが所持するユーザ端末により、前記ユーザに同行する同行者の有無を検出する同行者検出手段、
としてコンピュータを機能させるためのプログラムであって、
前記ユーザの現在地、前記イベント場所、前記イベントの内容及び前記ファイルの内容が所定の条件を充足する場合において、前記アクセス制御手段は、前記同行者検出手段によって前記同行者が検出されない場合、前記ユーザの前記ファイルに対するアクセスを許可し、前記同行者検出手段によって前記同行者が検出された場合、前記ユーザの前記ファイルに対するアクセスを制限する、
プログラム。
【発明の詳細な説明】
【技術分野】
【０００１】
本発明は、ファイル管理装置、ファイル管理システム及びプログラムに関する。
【背景技術】
【０００２】
従来、ネットワーク上に存在する電子ファイルのセキュリティを確保するために、ユーザの認証を行うことによって電子ファイルに対するアクセスを制御する技術が提案されている。ユーザの認証を行う方法として、例えば特許文献１の技術が提案されている。
【０００３】
特許文献１に開示されている技術では、スケジュール情報管理サーバから取得したスケジュール情報において、認証対象のユーザが勤務中であり、かつ、該ユーザの現在の居場所が自装置の設置場所（勤務場所）である場合は、正当なユーザであると認証する。
【先行技術文献】
【特許文献】
【０００４】
【特許文献１】特開２００８−１８１２１７号公報
【発明の概要】
【発明が解決しようとする課題】
【０００５】
本発明は、ユーザの利便性を損なうことなく、ファイルのセキュリティを維持することができるファイル管理装置、ファイル管理システム及びプログラムを提供することを目的とする。
【課題を解決するための手段】
【０００６】
本発明の請求項１に係るファイル管理装置は、記憶手段に記憶されたファイルにアクセスするユーザを識別するユーザ識別手段と、前記ユーザ識別手段により識別された前記ユーザの現在地を取得する現在地取得手段と、ユーザのスケジュール情報を記憶する記憶手段から、前記ユーザ識別手段により識別された前記ユーザのスケジュール情報を取得するスケジュール取得手段と、前記現在地取得手段により取得された前記ユーザの現在地と、前記スケジュール取得手段により取得された前記ユーザのスケジュール情報に登録されたイベントが行われる場所を示すイベント場所と、該イベントの内容と、前記ファイルの内容とに基づいて、前記ファイルに対するアクセスを制御するアクセス制御手段と、前記ユーザが所持するユーザ端末により、前記ユーザに同行する同行者の有無を検出する同行者検出手段と、を含み、前記ユーザの現在地、前記イベント場所、前記イベントの内容及び前記ファイルの内容が所定の条件を充足する場合において、前記アクセス制御手段は、前記同行者検出手段によって前記同行者が検出されない場合、前記ユーザの前記ファイルに対するアクセスを許可し、前記同行者検出手段によって前記同行者が検出された場合、前記ユーザの前記ファイルに対するアクセスを制限する、ことを特徴とする。
【００１０】
本発明の請求項２に係るファイル管理装置は、請求項１に記載の構成において、前記現在地から前記イベント場所までの距離を算出する算出手段と、前記ユーザの前記イベントに同行する同行者を識別する同行者識別手段と、をさらに含み、前記アクセス制御手段は、前記算出手段により算出された前記距離が、予め設定された設定距離より小さく、かつ、前記ファイルの内容が前記イベントの内容及び前記同行者に関連する場合は、前記ユーザに前記ファイルに対するアクセスを許可する。
【００１１】
本発明の請求項３に係るファイル管理装置は、請求項１に記載の構成において、前記現在地から前記イベント場所までの距離を算出する算出手段と、前記ユーザの前記イベントに同行する同行者を識別する同行者識別手段と、をさらに含み、前記アクセス制御手段は、前記算出手段により算出された前記距離が、予め設定された設定距離より小さく、かつ、前記ファイルの内容が前記イベントの内容及び前記同行者に関連する場合は、前記ユーザに前記ファイルの一部に対するアクセスを許可する。
【００１２】
本発明の請求項４に係るファイル管理装置は、請求項１に記載の構成において、前記現在地から前記イベント場所までの距離を算出する算出手段と、前記ユーザの前記イベントに同行する同行者を識別する同行者識別手段と、をさらに含み、前記アクセス制御手段は、前記同行者が特定されず、前記ユーザの現在地と前記イベント場所とが一致し、前記ファイルの内容が前記イベントの内容に関連する場合は、前記ユーザに前記ファイルに対するアクセスを許可する。
【００１３】
本発明の請求項５に係るファイル管理装置は、請求項１に記載の構成において、前記ユーザの前記イベントに同行する同行者を識別する同行者識別手段をさらに含み、前記アクセス制御手段は、前記同行者が推定されない場合は、前記ユーザに前記ファイルに対するアクセスを禁止する。
【００１４】
本発明の請求項６に係るファイル管理システムは、ユーザが利用するユーザ端末と、該ユーザ端末にネットワークを介して接続されるファイル管理装置と、を含むファイル管理システムであって、前記ファイル管理装置は、記憶手段に記憶されたファイルにアクセスするユーザを識別するユーザ識別手段と、前記ユーザ識別手段により識別された前記ユーザの現在地を取得する現在地取得手段と、ユーザのスケジュール情報を記憶する記憶手段から、前記ユーザ識別手段により識別された前記ユーザのスケジュール情報を取得するスケジュール取得手段と、前記現在地取得手段により取得された前記ユーザの現在地と、前記スケジュール取得手段により取得された前記ユーザのスケジュール情報に登録されたイベントが行われる場所を示すイベント場所と、該イベントの内容と、前記ファイルの内容とに基づいて、前記ファイルに対するアクセスを制御するアクセス制御手段と、前記ユーザが所持するユーザ端末により、前記ユーザに同行する同行者の有無を検出する同行者検出手段と、を含み、前記ユーザの現在地、前記イベント場所、前記イベントの内容及び前記ファイルの内容が所定の条件を充足する場合において、前記アクセス制御手段は、前記同行者検出手段によって前記同行者が検出されない場合、前記ユーザの前記ファイルに対するアクセスを許可し、前記同行者検出手段によって前記同行者が検出された場合、前記ユーザの前記ファイルに対するアクセスを制限する、ことを特徴とする。
【００１５】
本発明の請求項７に係るプログラムは、記憶手段に記憶されたファイルにアクセスするユーザを識別するユーザ識別手段、前記ユーザ識別手段により識別された前記ユーザの現在地を取得する現在地取得手段、ユーザのスケジュール情報を記憶する記憶手段から、前記ユーザ識別手段により識別された前記ユーザのスケジュール情報を取得するスケジュール取得手段、前記現在地取得手段により取得された前記ユーザの現在地と、前記スケジュール取得手段により取得された前記ユーザのスケジュール情報に登録されたイベントが行われる場所を示すイベント場所と、該イベントの内容と、前記ファイルの内容とに基づいて、前記ファイルに対するアクセスを制御するアクセス制御手段、及び、前記ユーザが所持するユーザ端末により、前記ユーザに同行する同行者の有無を検出する同行者検出手段、としてコンピュータを機能させるためのプログラムであって、前記ユーザの現在地、前記イベント場所、前記イベントの内容及び前記ファイルの内容が所定の条件を充足する場合において、前記アクセス制御手段は、前記同行者検出手段によって前記同行者が検出されない場合、前記ユーザの前記ファイルに対するアクセスを許可し、前記同行者検出手段によって前記同行者が検出された場合、前記ユーザの前記ファイルに対するアクセスを制限する、プログラムである。このプログラムは、ＣＤ−ＲＯＭやＤＶＤ−ＲＯＭなどの、コンピュータが読み取り可能な情報記憶媒体に格納されてもよい。
【発明の効果】
【００１６】
本発明の請求項１、６、７の構成によれば、ユーザの利便性を損なうことなく、ファ
イルのセキュリティが維持される。
【００２１】
本発明の請求項２の構成によれば、同行者が特定された場合は、同行者に関連するファイルに対するアクセスが許可される。
【００２２】
本発明の請求項３の構成によれば、同行者が推定された場合は、同行者に関連するファイルに対するアクセスが条件付きで許可される。
【００２３】
本発明の請求項４の構成によれば、同行者が特定されず、かつ、ユーザの現在地とイベント場所とが一致する場合は、イベントの内容に関連するファイルに対するアクセスが許可される。
【００２４】
本発明の請求項５の構成によれば、同行者が推定されない場合は、ファイルに対するア
クセスが禁止される。
【図面の簡単な説明】
【００２５】
【図１】本実施形態に係るファイル管理システムの全体構成図である。
【図２】ファイル管理システムの具体的構成を示すブロック図である。
【図３】本実施形態に係るファイル管理装置の具体的構成を示すブロック図である。
【図４】ファイル情報テーブルの一例を示す図である。
【図５】ユーザ情報テーブルの一例を示す図である。
【図６】勤怠情報テーブルの一例を示す図である。
【図７】スケジュール情報の一例を示すテーブルである。
【図８】スケジュール工程表の一例を示す図である。
【図９】ファイル管理システムの動作フロー図である。
【図１０】ファイル管理システムの動作フロー図である。
【図１１】変形例１に係るファイル管理システム動作フロー図である。
【図１２】変形例２に係るファイル管理装置の具体的構成を示すブロック図である。
【図１３】ユーザ情報テーブルの一例を示す図である。
【図１４】スケジュール情報の一例を示すテーブルである。
【図１５】変形例２に係るファイル管理システム動作フロー図である。
【図１６】変形例２に係るファイル管理システム動作フロー図である。
【図１７】変形例２に係るファイル管理システム動作フロー図である。
【図１８】変形例２に係るファイル管理システム動作フロー図である。
【発明を実施するための形態】
【００２６】
本発明の一実施形態について、図面を用いて以下に説明する。
【００２７】
図１は、本実施形態に係るファイル管理システムの全体構成図である。同図に示すように、ファイル管理システム１００は、各種ファイルの管理を行うファイル管理装置１０と、ユーザのスケジュールを示すスケジュール情報を記憶、管理するスケジュール情報管理サーバ２０と、ユーザが利用するユーザ端末３０とを含んでいる。ユーザ端末３０の数は１つであってもよいし、複数であってもよい。ファイル管理装置１０とスケジュール情報管理サーバ２０とユーザ端末３０とは、ＬＡＮ（Local Area Network）やインターネット等の通信ネットワーク４０を介して相互に接続されている。
【００２８】
ファイル管理装置１０は、ファイルに対するユーザからのアクセス制御を行う。ファイル（ドキュメント）には、ユーザ端末３０のユーザが作成したファイル、不特定のユーザが作成したファイル、ファイル管理装置１０が外部からダウンロードしたファイル等が含まれる。また、ファイルの形式は限定されず、文書データ、画像データ、図面データ、電子メールデータ等、各種の電子データが含まれる。
【００２９】
ユーザ端末３０は、通信ネットワーク４０に接続された、ユーザが使用する端末装置である。ユーザ端末３０は、ユーザの操作に基づいて、通信ネットワーク４０を介してファイル管理装置１０にアクセスする。これにより、ユーザ端末３０は、ファイル管理装置１０から様々な情報を取得したり、取得した情報を表示画面に表示したりする。ユーザ端末３０には、ブラウザや電子メールクライアント等のソフトウェアが組み込まれていてもよい。ユーザ端末３０は、例えば、パーソナルコンピュータ、ＰＤＡ（Personal Digital Assistant）、スマートフォン等の携帯情報端末、携帯電話機等である。また、ユーザは、ユーザ端末３０を使用して、自身のスケジュール情報を登録、更新する。スケジュール情報は、通信ネットワーク４０を介してユーザ端末３０に接続されたスケジュール情報管理サーバ２０に登録される。スケジュール情報には、社内又は社外における、打合せ、会議、出張などの予定（イベント）の開始時刻、終了時刻、開催場所（イベント場所）、内容（イベント内容）等の各種情報が含まれる（図７参照）。
【００３０】
スケジュール情報管理サーバ２０は、ユーザごとにスケジュール情報を記憶、管理する。スケジュール情報管理サーバ２０に、スケジュール情報を記憶するスケジュール情報ＤＢ２１を含んでいる（図３参照）。
【００３１】
図２は、ファイル管理装置１０のハードウェア構成を示すブロック図である。ファイル管理装置１０は、ＣＰＵ１、メモリ２、記憶部３、及び通信部４を含むコンピュータで構成されている。これらのハードウェア要素はバスにより相互にデータの授受が可能に接続されている。通信部４は、通信ネットワーク４０を介して、スケジュール情報管理サーバ２０及びユーザ端末３０とデータ通信を行う。ＣＰＵ１は、ファイル管理装置１０の各部を制御したり、各種の情報処理を実行したりする。メモリ２は、各種のプログラムやデータを保持する。メモリ２には、ＣＰＵ１の作業領域も確保される。記憶部３は、ファイル、ユーザ情報、勤怠情報等を記憶する。記憶部３は、ファイル管理装置１０の外部に設けられていてもよく、スケジュール情報管理サーバ２０内に設けられていてもよい。
【００３２】
図３は、ファイル管理装置１０の具体的構成を示すブロック図である。ファイル管理装置１０は、ユーザ識別部１１、現在地取得部１２、スケジュール取得部１３、時刻判定部１４、現在地判定部１５、所要時間算出部１６、所要時間判定部１７、ファイル判定部１８、及びアクセス制御部１９を含んでいる。これらの要素はメモリ２（図２参照）に格納されたプログラムをＣＰＵ１が実行することにより実現される。このプログラムはＣＤ−ＲＯＭ、ＤＶＤ−ＲＯＭ、メモリカードなどのコンピュータが読み取り可能な情報記憶媒体からファイル管理装置１０にインストールされてもよいし、インターネット等の通信ネットワーク４０を介してダウンロードされてもよい。
【００３３】
記憶部３は、ファイルＤＢ３１、ユーザ情報ＤＢ３２、及び勤怠情報ＤＢ３３を含んでいる。
【００３４】
ファイルＤＢ３１は、上述の各種ファイルを記憶するデータベースである。また、ファイルＤＢ３１には、ファイル名、ファイル作成者、作成者の社名及び所属部署等の情報（ファイル情報）が対応付けられたテーブル（以下、ファイル情報テーブルという。）が記憶されている。図４は、ファイル情報テーブルの一例を示している。ファイル情報テーブルに対応する表は、ユーザ端末３０に表示されてもよく、また表中のファイル名にファイルデータの保存先ＵＲＬがリンクされていてもよい。
【００３５】
ユーザ情報ＤＢ３２は、１又は複数のユーザの情報を記憶するデータベースである。ユーザ情報ＤＢ３２には、ユーザ名（ユーザＩＤ）、ユーザ端末の端末ＩＤ（識別番号）、ユーザの社名、及び所属部署等の情報が対応付けられたテーブル（以下、ユーザ情報テーブルという。）が記憶されている。図５は、ユーザ情報テーブルの一例を示している。ユーザ情報テーブルには、例えば、ユーザが所属する会社の全従業員の情報と、当該会社の関連会社や取引先の従業員の情報が登録されている。ユーザ情報は、ユーザ端末３０やファイル管理装置１０を利用して、登録、更新することができる。
【００３６】
勤怠情報ＤＢ３３は、１又は複数のユーザの勤怠情報を記憶するデータベースである。勤怠情報ＤＢ３３には、ユーザ名（ユーザＩＤ）、勤務時間帯を示す既定時間帯、及び勤務地を示す既定場所の情報が対応付けられたテーブル（以下、勤怠情報テーブルという。）が記憶されている。既定時間帯は、例えば、契約、就業規則等により予め定められた勤務時間帯をいう。既定時間帯は、法定の労働時間に限定されず、例えば想定される残業時間を含む時間帯としてもよい。図６は、勤怠情報テーブルの一例を示している。例えば、ユーザＡ、Ｂ、Ｃの既定時間帯は「８：００−２０：００」に設定され、ユーザＤの既定時間帯は「１０：００−１６：００」に設定されている。また、ユーザＡ、Ｂ、Ｃ、Ｄの既定場所は「Ｘ社」に設定されている。
【００３７】
ユーザ識別部１１は、ファイル管理装置１０の記憶部３に記憶されているファイルにアクセス要求したユーザを識別する。具体的には、ユーザ識別部１１は、アクセス要求元のユーザ端末３０の端末ＩＤに基づき、ユーザ情報ＤＢ３２のユーザ情報テーブル（図５参照）を参照して、ユーザを識別（特定）する。例えば、あるユーザがユーザ端末３０（端末ＩＤ：ＩＤ０１）を使用してファイル管理装置１０に接続し、ファイルＤＢ３１に格納されているファイル「Ｆ０００１」を取得（アクセス）しようとすると、ユーザ識別部１１は、ユーザ情報テーブルを参照して、該ユーザを「ユーザＡ」と識別（特定）する。
【００３８】
ユーザ識別部１１は、上記構成に限定されない。例えば、ユーザ識別部１１は、ユーザ端末３０に設けられたカメラにより撮影されたユーザの画像を取得し、取得した画像を解析することによりユーザを識別してもよい。また、ユーザ識別部１１は、ユーザ端末３０に入力されたユーザＩＤやパスワードを取得し、取得したユーザＩＤやパスワードを照合することによりユーザを識別してもよい。
【００３９】
現在地取得部１２は、ユーザ端末３０を使用するユーザの現在地を取得する。具体的には、現在地取得部１２は、ユーザ端末３０に設けられた位置検出部（図示せず）の検出結果を取得し、検出結果に基づき該ユーザ端末３０を使用するユーザの位置を取得（特定）する。位置検出方法は限定されず、例えば、ＧＰＳ（Global Positioning System）、無線ＬＡＮ、有線ＬＡＮ、ＩＣタグ、ＲＦＩＤ、人感センサ等を用いることができる。例えばＧＰＳを用いた場合は、外出中のユーザの現在地（例えば、住所地：Ｔ番地）を取得することができる。また、例えばＩＣタグを用いた場合は、社内のユーザの現在地（例えば、１０階の会議室１０１号室）を取得することができる。
【００４０】
スケジュール取得部１３は、スケジュール情報管理サーバ２０のスケジュール情報ＤＢ２１から、ユーザ識別部１１により識別されたユーザのスケジュール情報を取得する。
【００４１】
図７は、スケジュール情報ＤＢ２１に記憶されるスケジュール情報の一例を示すテーブルである。スケジュール取得部１３は、例えば、スケジュール情報ＤＢ２１から、ユーザＡについて、１０月１５日のイベントＡ１のスケジュール情報として、イベント時間帯「１０：００−１２：００」、イベント場所「Ｙ社」、イベント内容「α製品の商談」を取得し、イベントＡ２のスケジュール情報として、イベント時間帯「１４：００−１５：００」、イベント場所「Ｚ社」、イベント内容「β製品の商談」を取得する。
【００４２】
また、スケジュール取得部１３は、勤怠情報ＤＢ３３に記憶されている勤怠情報と、スケジュール情報ＤＢ２１から取得したスケジュール情報とに基づいて、スケジュール工程表を作成してもよい。図８は、スケジュール工程表の一例を示している。図８の例では、１０月１５日のユーザＡ、Ｂ、Ｃ、Ｄのスケジュール工程表を示している。スケジュール工程表は、ユーザが確認できるように、ユーザ端末３０に表示されてもよい。
【００４３】
時刻判定部１４は、現在時刻が、勤怠情報ＤＢ３３に記憶されている既定時間帯（図６参照）に含まれるか否かを判定する。現在時刻は、ユーザがファイルにアクセス要求した時刻である。例えば、時刻判定部１４は、現在時刻が、ユーザＡの勤怠情報に登録された既定時間帯「８：００−２０：００」に含まれるか否かを判定する。具体的には、現在時刻が「１１：００」の場合、時刻判定部１４は、現在時刻が既定時間帯に含まれると判定し、現在時刻が「２１：００」の場合、時刻判定部１４は、現在時刻が既定時間帯に含まれないと判定する。
【００４４】
また、時刻判定部１４は、現在時刻が、スケジュール取得部１３により取得されたスケジュール情報（図７参照）に登録されたイベント時間帯に含まれるか否かを判定する。例えば、時刻判定部１４は、現在時刻が、ユーザＡのスケジュール情報に登録されたイベント時間帯「１０：００−１２：００」又は「１４：００−１５：００」に含まれるか否かを判定する。具体的には、現在時刻が「１１：００」の場合、時刻判定部１４は、現在時刻がイベント時間帯に含まれると判定し、現在時刻が「１３：３０」の場合、時刻判定部１４は、現在時刻がイベント時間帯に含まれないと判定する。
【００４５】
現在地判定部１５は、現在地取得部１２により取得されたユーザの現在地を判定する。例えば、ユーザＡが自社内（Ｘ社）にいた場合、現在地判定部１５はユーザＡの現在地は既定場所であると判定し、ユーザＡが社外の打合せ場所（Ｙ社）にいた場合、現在地判定部１５はユーザＡの現在地はイベント場所（Ｙ社）であると判定し、ユーザＡが社外の喫茶店にいた場合、現在地判定部１５はユーザＡの現在地は喫茶店であると判定する。
【００４６】
所要時間算出部１６は、ユーザが、現在地取得部１２により取得された現在地から、該ユーザのイベント場所まで移動するのに要する所要時間（移動時間）を算出する。所要時間の算出方法は、周知の方法を適用することができる。例えば、ユーザＡが現在時刻「１３：３０」に社外の喫茶店にいた場合、所要時間算出部１６は、この喫茶店から、以後のイベント場所（Ｚ社）までの距離を算出し、ユーザＡが、喫茶店からＺ社まで徒歩又は交通機関を利用して移動するのに要する所要時間を算出する。また、所要時間算出部１６は、喫茶店から、以前のイベント場所（Ｙ社）までの距離を算出し、ユーザＡが、喫茶店からＹ社まで徒歩又は交通機関を利用して移動するのに要する所要時間を算出する。
【００４７】
所要時間判定部１７は、所要時間算出部１６により算出された所要時間が予め設定された設定時間内であるか否かを判定する。例えば、上記設定時間が３０分に設定されており、上記所要時間が１５分であった場合、所要時間判定部１７は、上記所要時間が上記設定時間内であると判定し、上記所要時間が１時間であった場合、所要時間判定部１７は、上記所要時間が上記設定時間外であると判定する。
【００４８】
なお、所要時間算出部１６は、ユーザの現在地からイベント場所までの距離を算出し、所要時間判定部１７は、算出された距離が、予め設定された設定距離よりも短いか否かを判定してもよい。すなわち、ファイル管理装置１０において、所要時間算出部１６を距離算出部に置き換え、所要時間判定部１７を距離判定部に置き換えてもよい。
【００４９】
ファイル判定部１８（ファイル比較部）は、ファイルＤＢ３１に記憶されているファイルの内容と、該ユーザのスケジュール情報（図７参照）に登録されたイベントのうちユーザが上記設定時間内に到達可能なイベントの内容とを比較し、両者に関連性があるか否かを判定する。例えば、ファイル判定部１８は、ユーザＡがアクセス要求したファイル「Ｆ０００１」（例えば、文書ファイル）の内容と、ユーザＡのスケジュール情報（図７参照）に登録されたイベントＡ２の内容「β製品の商談」とを比較する。そして、ファイル「Ｆ０００１」のファイル名や文書の本文に「β製品」に関する内容が記載されている場合、ファイル判定部１８は、ファイル「Ｆ０００１」はイベントＡ２に関連したファイル（以下、関連ファイルという。）であると判定する。関連性の判定方法は、周知の方法を適用することができる。例えば、キーワード検索による判定や、差分による類似度の判定を用いることができる。また、比較するイベントの内容は、イベント（例えば、会議）の議題に限定されず、イベントに参加する参加者の情報（参加者名、社名、所属部署等）であってもよい。
【００５０】
アクセス制御部１９は、ユーザの現在地、現在時刻、上記所要時間、イベントとファイルの関連性等の要素に基づき、ファイルＤＢ３１に記憶されているファイルに対するユーザからのアクセスを許可したり、禁止したり、条件付きで許可したりする。例えば、ユーザＡが、現在時刻「１３：３０」に、イベントＡ２のイベント場所からの所要時間が１５分の場所にある社外の喫茶店において、イベントＡ２の関連ファイル「Ｆ０００１」をユーザ端末（ＩＤ０１）にダウンロード（アクセス）を試みた場合、アクセス制御部１９は、このアクセスを許可し、対象の関連ファイル「Ｆ０００１」をユーザ端末（ＩＤ０１）に送信する。
【００５１】
次に、ファイル管理システム１００における処理内容について説明する。図９及び図１０は、ファイル管理システム１００の動作フロー図である。ここでは、ユーザＡがユーザ端末「ＩＤ０１」を使用して、ファイル「Ｆ０００１」のダウンロードを試みる場合を例に挙げる。また。ここでは、現在時刻及びユーザＡの現在地等の条件を、必要に応じて変更しつつ説明する。
【００５２】
初めに、ユーザＡがユーザ端末「ＩＤ０１」を使用して、ファイル「Ｆ０００１」にアクセス要求を行うと、ユーザ識別部１１は、ユーザ端末３０の端末ＩＤに基づき、ユーザ情報ＤＢ３２のユーザ情報テーブル（図５参照）を参照して、ユーザを識別（特定）する（Ｓ１１）。ファイルへのアクセス要求とは、例えば、当該ファイルを選択（クリック等）した場合である。ここでは、ユーザ識別部１１は、ユーザＡと識別する。
【００５３】
次に、現在地取得部１２は、ユーザＡの現在地を取得する（Ｓ１２）。例えば、ユーザＡが社外の喫茶店にいた場合、現在地取得部１２は、喫茶店の所在地を取得する。
【００５４】
次に、スケジュール取得部１３は、スケジュール情報ＤＢ２１から、ユーザＡのスケジュール情報を取得する（Ｓ１３）。例えば、スケジュール取得部１３は、図７に示す、ユーザＡのイベントＡ１、Ａ２のスケジュール情報を取得する。
【００５５】
次に、時刻判定部１４は、現在時刻が既定時間帯（図６参照）に含まれるか否かを判定する（Ｓ１４）。例えば、ユーザＡの既定時間帯は「８：００−２０：００」であるため、現在時刻が「１３：３０」の場合、現在時刻は既定時間帯に含まれる。
【００５６】
現在時刻が既定時間帯に含まれる場合（Ｓ１４でＹＥＳ）、時刻判定部１４は、さらに、現在時刻が、スケジュール情報に登録されたイベント時間帯に含まれるか否かを判定する（Ｓ１５）。ここでは、イベントＡ１のイベント時間帯は「１０：００−１２：００」であり、イベントＡ２のイベント時間帯は「１４：００−１５：００」であるため、現在時刻はイベント時間帯に含まれない。
【００５７】
現在時刻がイベント時間帯に含まれない場合（Ｓ１５でＮＯ）、現在地判定部１５は、ユーザＡの現在地が、ユーザＡの既定場所と一致するか否かを判定する（Ｓ１６）。ここでは、ユーザＡは社外の喫茶店にいるため、ユーザＡの現在地は既定場所と一致しない。
【００５８】
ユーザＡの現在地が既定場所と一致しない場合（Ｓ１６でＮＯ）、所要時間算出部１６は、ユーザＡが、現在地からイベントＡ１、Ａ２のイベント場所まで移動するのに要するそれぞれの所要時間を算出する（Ｓ１７）。例えば、喫茶店からイベントＡ２のイベント場所（Ｚ社）までの所要時間が１５分であり、喫茶店からイベントＡ１のイベント場所（Ｙ社）までの所要時間が１時間であったとする。
【００５９】
次に、所要時間判定部１７は、上記所要時間が設定時間内であるか否かを判定する（Ｓ１８）。設定時間が３０分に設定されている場合、イベントＡ２については、上記所要時間が上記設定時間内となり、イベントＡ１については、上記所要時間が上記設定時間外となる。
【００６０】
上記所要時間が上記設定時間内である場合（Ｓ１８でＹＥＳ）、ファイル判定部１８は、ユーザＡがアクセス要求したファイル「Ｆ０００１」の内容と、上記設定時間内に到達可能なイベントＡ２の内容「β製品の商談」とを比較する（Ｓ１９）。
【００６１】
ファイル「Ｆ０００１」のファイル名や文書の本文に「β製品」に関する内容が記載されており、ファイル「Ｆ０００１」がイベントＡ２の関連ファイルである場合（Ｓ１９でＹＥＳ）、アクセス制御部１９は、ファイル「Ｆ０００１」に対するユーザＡからのアクセスを許可し、ファイル「Ｆ０００１」をユーザ端末「ＩＤ０１」に送信する（Ｓ２０）。
【００６２】
上記Ｓ１４の処理において、現在時刻が既定時間帯（図６参照）に含まれない場合（Ｓ１４でＮＯ）、すなわち、現在時刻が、８：００よりも前である場合、又は、２０：００よりも後である場合、アクセス制御部１９は、ファイル「Ｆ０００１」に対するユーザＡからのアクセスを禁止する（Ｓ２１）。これにより、勤務時間外におけるファイルへのアクセスが防止される。
【００６３】
上記Ｓ１５の処理において、現在時刻がイベント時間帯に含まれる場合（Ｓ１５でＹＥＳ）、現在地判定部１５は、ユーザＡの現在地が、対応するイベントのイベント場所と一致するか否かを判定する（図１０のＳ１０１）。例えば、現在時刻が「１４：３０」の場合、ユーザＡの現在地が、イベントＡ２のイベント場所「Ｚ社」と一致するか否かを判定する。ユーザの現在地がイベント場所と一致する場合（Ｓ１０１でＹＥＳ）、ファイル判定部１８は、ユーザがアクセス要求したファイルの内容と、ユーザが存在するイベント場所におけるイベントの内容とを比較する（Ｓ１０２）。比較した結果、例えば、ファイル「Ｆ０００１」のファイル名や文書の本文に「β製品」に関する内容が記載されており、ファイル「Ｆ０００１」がイベントＡ２の関連ファイルである場合（Ｓ１０２でＹＥＳ）、アクセス制御部１９は、ファイル「Ｆ０００１」に対するユーザＡからのアクセスを許可し、ファイル「Ｆ０００１」をユーザ端末「ＩＤ０１」に送信する（Ｓ１０３）。これにより、例えば、会議中に、その会議に関連するファイルを取得又は閲覧することができる。
【００６４】
ユーザの現在地がイベント場所と一致しない場合（Ｓ１０１でＮＯ）、又は、ユーザがアクセス要求したファイルの内容と、ユーザが存在するイベント場所におけるイベントの内容とが関連しない場合（Ｓ１０２でＮＯ）、アクセス制御部１９は、ファイル「Ｆ０００１」に対するユーザＡからのアクセスを禁止する（Ｓ１０４）。
【００６５】
上記Ｓ１６の処理において、ユーザＡの現在地が既定場所と一致する場合（Ｓ１６でＹＥＳ）、アクセス制御部１９は、ファイル「Ｆ０００１」に対するユーザＡからのアクセスを許可し、ファイル「Ｆ０００１」をユーザ端末「ＩＤ０１」に送信する（Ｓ２０）。このケースは、例えば、ユーザＡが社内で通常の業務を行っているケースである。
【００６６】
上記Ｓ１８の処理において、上記所要時間が上記設定時間外である場合（Ｓ１８でＮＯ）、又は、上記Ｓ１９の処理において、ユーザがアクセス要求したファイルの内容と、ユーザが存在するイベント場所におけるイベントの内容とが関連しない場合（Ｓ１９でＮＯ）、アクセス制御部１９は、ファイル「Ｆ０００１」に対するユーザＡからのアクセスを禁止する（Ｓ２１）。
【００６７】
ここで、ユーザＢ（図７及び図８参照）のように、スケジュール情報にイベントが登録されていない場合、ファイル管理装置１０は、次の処理を行う。すなわち、上記Ｓ１４の処理において、現在時刻が既定時間帯（図６参照）に含まれる場合は（Ｓ１４でＹＥＳ）、アクセス制御部１９は、ファイル「Ｆ０００１」に対するユーザＡからのアクセスを許可し（Ｓ２０）、現在時刻が既定時間帯に含まれない場合は（Ｓ１４でＮＯ）、アクセス制御部１９は、ファイル「Ｆ０００１」に対するユーザＡからのアクセスを禁止する（Ｓ２１）。
【００６８】
また、図８に示す例では、ユーザＣについて、既定場所が「Ｘ社の５階」であり、イベントＣ１のイベント場所が「Ｘ社の１０階」である。このように、ユーザが同じ社内にいた場合でも、ユーザの現在地及びイベント場所に応じてファイルのアクセスが制御される。この場合は、社内のフロア、部屋、部署等の単位で、現在地及びイベント場所を区別すればよい。
【００６９】
また、ユーザＤ（図７及び図８参照）のように、イベントが既定時間外（例えば、残業時間帯）に設定されている場合は、ファイル管理装置１０は、次の処理を行う。なお、以下では、変形例１に係るファイル管理装置１０として説明する。図１１は、変形例１に係るファイル管理システム１００動作フロー図である。図１１において、図９に示す処理と同一処理の部分には同一のステップ番号を付し、説明を省略する。
【００７０】
図１１に示すＳ１４の処理において、現在時刻が既定時間帯（図６参照）に含まれない場合（Ｓ１４でＮＯ）、時刻判定部１４は、さらに、スケジュール情報に登録されたイベント時間帯が既定時間帯に含まれるか否かを判定する（Ｓ３１）。具体的には、イベント時間帯の開始時刻及び終了時刻がともに既定時間帯に含まれる場合は、時刻判定部１４は、イベント時間帯が既定時間帯に含まれると判定する。また、イベント時間帯の開始時刻及び終了時刻の少なくとも何れか一方が既定時間帯に含まれない場合は、時刻判定部１４は、イベント時間帯が既定時間帯に含まれないと判定する。例えば、イベント時間帯が、「７：００−９：００」の場合や「２０：３０−２１：００」の場合は、イベント時間帯は既定時間帯に含まれない。
【００７１】
イベント時間帯が既定時間帯に含まれない場合は（Ｓ３１でＮＯ）、Ｓ１５に移行する。例えば、ユーザＤ（図７及び図８参照）のスケジュール情報に登録されたイベントＤ１のイベント時間帯「１７：００−１８：００」は、ユーザＤの既定時間帯「１７：００−１８：００」（図６参照）に含まれないため、Ｓ１５に移行する。Ｓ１５以降の処理は、図９に示した処理と同一である。
【００７２】
イベント時間帯が既定時間帯に含まれる場合は（Ｓ３１でＹＥＳ）、図９に示した処理と同様、Ｓ２１に移行する。
【００７３】
本変形例１によれば、イベントが既定時間外（例えば、残業時間帯）に設定されている場合でも、ファイルに対するアクセスが許可され得る。
【００７４】
また、ファイル管理装置１０は、ユーザに同行する同行者を考慮して、ユーザのファイルに対するアクセスを制御してもよい。以下では、この構成について、変形例２に係るファイル管理装置１０として説明する。図１２は、変形例２に係るファイル管理装置１０の具体的構成を示すブロック図である。図１２において、図３に示す構成と同一の構成を示す部分は同一の番号を付し、説明を省略する。ここでは、一例として、ユーザ情報ＤＢ３２に、図１３に示すユーザ情報テーブルが登録され、スケジュール情報ＤＢ２１に、図１４に示すスケジュール情報が登録されていると仮定する。図１３のユーザ情報には、ユーザの特徴を示す情報（特徴情報）が登録されている。特徴情報には、例えば、ユーザの顔画像、名刺、社章、職種等が含まれる。なお、図１３のユーザ情報には、ユーザ及び同行者の区別はなく、同行者もユーザとして登録される。
【００７５】
同行者検出部１０１は、ファイル管理装置１０の記憶部３に登録されているファイルにアクセス要求したユーザのイベントに同行する同行者を検出する。具体的には、同行者検出部１０１は、ユーザが所持するユーザ端末３０に設けられた人感センサやカメラにより、ユーザに同行する同行者の有無を検出する。
【００７６】
同行者識別部１０２は、同行者検出部１０１により検出された同行者を識別（特定）する。具体的には、同行者識別部１０２は、ユーザ端末３０に設けられたカメラにより撮影された同行者の画像を取得し、取得した画像を解析することにより同行者を識別する。例えば、同行者識別部１０２は、カメラにより撮影された同行者の顔画像と、ユーザ情報テーブル（図１３参照）に特徴情報として登録されている顔画像とを照合して、同行者を特定する。同行者の識別方法は、これに限定されず、例えば、指紋認証等の生体認証を用いてもよい。
【００７７】
また、同行者識別部１０２は、上記撮影画像及び上記特徴情報に基づいて同行者を明確に特定できない場合は、これらの情報に基づいて同行者を推定する。例えば、カメラによる撮影画像において同行者の顔が不鮮明で同行者を特定できない場合、撮影画像内の名刺、社章等に基づいて、同行者を推定する。
【００７８】
アクセス制御部１９は、上記同行者が存在する場合は、同行者の識別状態も考慮して、ユーザのファイルに対するアクセスを制御する。
【００７９】
図１５〜図１８は、変形例２に係るファイル管理システム１００の動作フロー図である。図１５において、図９に示す処理と同一処理の部分は同一のステップ番号を付し、説明を省略する。ここでは、ユーザＡがユーザ端末「ＩＤ０１」を用いて、現在時刻「１３：３０」に、ファイル「Ｆ０００１」のダウンロードを試みる場合を例に挙げる。また、ユーザＥがユーザＡに同行する場合を例に挙げる。
【００８０】
図１５に示すＳ１９の処理において、ファイル「Ｆ０００１」がイベントＡ２の関連ファイルである場合（Ｓ１９でＹＥＳ）、同行者検出部１０１は、ユーザＡに同行する同行者の有無を検出する（図１６のＳ２０１）。ここでは、同行者「有」と検出される。
【００８１】
同行者が存在する場合（Ｓ２０１でＹＥＳ）、同行者識別部１０２は、同行者を識別（特定）する（Ｓ２０２）。ここでは、例えば、ユーザ端末「ＩＤ０１」に設けられたカメラにより撮影された同行者の顔画像と、ユーザ情報テーブル（図１３参照）に登録されている顔画像とを照合して、同行者をユーザＥと特定する。
【００８２】
同行者が特定された場合（Ｓ２０２でＹＥＳ）、ファイル判定部１８は、ユーザＡがアクセス要求したファイル「Ｆ０００１」の内容と、同行者であるユーザＥの特徴情報とを比較し、ファイルと同行者との関連性を判定する（図１７のＳ３０１）。
【００８３】
例えば、ファイル「Ｆ０００１」のファイル名や文書の本文に、ユーザＥの特徴情報の一つである「Ｚ社」に関する内容が記載されており、ファイル「Ｆ０００１」が、ユーザＥに関連したファイル（関連ファイル）である場合（Ｓ３０１でＹＥＳ）、アクセス制御部１９は、ファイル「Ｆ０００１」に対するユーザＡからのアクセスを許可し、ファイル「Ｆ０００１」をユーザ端末「ＩＤ０１」に送信する（Ｓ３０２）。一方、ユーザがアクセス要求したファイルの内容と、同行者とが関連しない場合（Ｓ３０１でＮＯ）、アクセス制御部１９は、ファイル「Ｆ０００１」に対するユーザＡからのアクセスを禁止する（Ｓ３０３）。
【００８４】
上記Ｓ２０２の処理において、同行者が特定されない場合（Ｓ２０２でＮＯ）、現在地判定部１５は、ユーザＡの現在地が、対応するイベントＡ２のイベント場所と一致するか否かを判定する（Ｓ２０３）。
【００８５】
ユーザＡの現在地がイベントＡ２のイベント場所と一致する場合（Ｓ２０３でＹＥＳ）、アクセス制御部１９は、ファイル「Ｆ０００１」に対するユーザＡからのアクセスを許可し、ファイル「Ｆ０００１」をユーザ端末「ＩＤ０１」に送信する（Ｓ２１０）。
【００８６】
上記Ｓ２０３の処理において、ユーザＡの現在地がイベントＡ２のイベント場所と一致しない場合（Ｓ２０３でＮＯ）、同行者識別部１０２は、ユーザ端末「ＩＤ０１」に設けられたカメラにより撮影された同行者の画像と、ユーザ情報テーブル（図１３参照）に登録されている特徴情報（顔画像、名刺、社章等）とに基づいて同行者を推定する（Ｓ２０４）。
【００８７】
同行者が推定された場合（Ｓ２０４でＹＥＳ）、ファイル判定部１８は、ユーザＡがアクセス要求したファイル「Ｆ０００１」の内容と、同行者（以下、推定者という。）であるユーザの特徴情報とを比較し、ファイルと推定者との関連性を判定する（図１８のＳ４０１）。なお、推定された場合とは、例えば、同行者を確実には特定できないが、同行者の画像、会社名、所属部署、職種等の情報により、相当程度の割合で同行者を特定し得る場合をいう。ここでは、同行者として、ユーザＥが推定されたとする。ファイル「Ｆ０００１」が推定者（ユーザＥ）の関連ファイルである場合（Ｓ４０１でＹＥＳ）、アクセス制御部１９は、ファイル「Ｆ０００１」に対するユーザＡからのアクセスを条件付きで許可する。例えば、アクセス制御部１９は、ファイル「Ｆ０００１」の概要（要約部分等）のみをユーザ端末「ＩＤ０１」に送信する（Ｓ４０２）。ユーザがアクセス要求したファイルの内容と、推定者とが関連しない場合（Ｓ４０１でＮＯ）、アクセス制御部１９は、ファイル「Ｆ０００１」に対するユーザＡからのアクセスを禁止する（Ｓ４０３）。
【００８８】
本発明は、上記実施形態に限定されない。例えば、上記所要時間（例えば、１５分）が上記設定時間（例えば、３０分）内であるイベントが複数存在する場合（Ｓ１８でＹＥＳ）、複数のイベント（例えば、イベントＡ１、Ａ２）が抽出される。この場合は、同行者識別部１０２により特定又は推定された同行者と、イベントＡ１、Ａ２の参加者とを比較し、該同行者に関連の深い人物が含まれるイベントに関連するファイルについて、ユーザＡからのアクセスを、許可又は条件付きで許可する構成としてもよい。
【００８９】
また、例えば、ファイル管理装置１０は、ファイルＤＢ３１に対するユーザからのアクセス制御を行ってもよい。この場合、ユーザ識別部１１は、ファイル管理装置１０の記憶部３に含まれるファイルＤＢ３１にアクセス要求したユーザを識別する。また、ファイル判定部１８は、ファイルＤＢ３１に記憶されている全てのファイルの内容と、スケジュール情報に登録されたイベントのうち上記設定時間内に到達可能なイベントの内容とを比較し、イベントの内容に関連性があるファイルを抽出する。また、アクセス制御部１９は、例えば、ファイル判定部１８により抽出された１又は複数のファイル（関連ファイル）に対するアクセスを許可する。なお、ファイルＤＢ３１は複数のフォルダを含み、複数のファイルが、その内容に応じて複数のフォルダに分類されてもよい。この場合、ファイル管理装置１０は、フォルダに対するユーザからのアクセス制御を行ってもよい。
【００９０】
また、ファイル管理装置１０の全部又は一部の機能は、スケジュール情報管理サーバ２０に設けられてもよいし、ユーザ端末３０に設けられてもよい。また、スケジュール情報管理サーバ２０のスケジュール情報ＤＢ２１は、スケジュール情報管理サーバ２０に設けられてもよいし、ユーザ端末３０に設けられてもよい。
【符号の説明】
【００９１】
１００  ファイル管理システム、１０  ファイル管理装置、１  ＣＰＵ、２  メモリ、３  記憶部、４  通信部、１１  ユーザ識別部、１２  現在地取得部、１３  スケジュール取得部、１４  時刻判定部、１５  現在地判定部、１６  所要時間算出部、１７  所要時間判定部、１８  ファイル判定部、１９  アクセス制御部、２０  スケジュール情報管理サーバ、２１  スケジュール情報ＤＢ、３０  ユーザ端末、３１  ファイルＤＢ、３２  ユーザ情報ＤＢ、３３  勤怠情報ＤＢ、４０  通信ネットワーク、１０１  同行者検出部、１０２  同行者識別部。
【図１】
0006435676.tif 000002
【図２】
0006435676.tif 000003
【図３】
0006435676.tif 000004
【図４】
0006435676.tif 000005
【図５】
0006435676.tif 000006
【図６】
0006435676.tif 000007
【図７】
0006435676.tif 000008
【図８】
0006435676.tif 000009
【図９】
0006435676.tif 000010
【図１０】
0006435676.tif 000011
【図１１】
0006435676.tif 000012
【図１２】
0006435676.tif 000013
【図１３】
0006435676.tif 000014
【図１４】
0006435676.tif 000015
【図１５】
0006435676.tif 000016
【図１６】
0006435676.tif 000017
【図１７】
0006435676.tif 000018
【図１８】
0006435676.tif 000019